(57)【要約】    【課題】歯付ベルトへの着脱が容易で、かつ強固に取り付けることのできるベルト用プロファイル及びプロファイル付きベルトの提供。    【解決手段】プロファイル１をベルト幅方向に分割体１ａ、１ｂに分割して形成する。分割体１ａ、１ｂのプロファイル本体３を歯付ベルト２の背面側に配置する。分割体１ａ、１ｂの爪部５を歯付ベルト２の側縁部２ａかつ歯面側に配置する。歯付ベルト２の側縁部２ａがプロファイル本体３と爪部５との間に挿入される。ベルト幅方向に歯付ベルト２を挟む。分割体１ａ、１ｂの嵌合部８を嵌合させて分割体１ａ、１ｂを一体化して歯付ベルト２に装着する。【選択図】  図３
2010222126.tif 000002
【特許請求の範囲】
【請求項１】
歯付ベルトに装着して使用するベルト用プロファイルであって、前記歯付ベルトの背面側に配置されるプロファイル本体と、該プロファイル本体との間に歯付ベルトの一部を挟持しつつベルト歯に係止されるよう前記歯付ベルトの歯面側に配置される爪部と、プロファイル本体と爪部とを連結するよう両者と一体に形成された連結部と、を備え、ベルト幅方向に歯付ベルトを挟みつつ一体化して歯付ベルトに装着するよう、ベルト幅方向に複数の分割体に分割して形成されたことを特徴とするベルト用プロファイル。
【請求項２】
前記複数の分割体に、互いに嵌合する嵌合部が形成されたことを特徴とする請求項１に記載のベルト用プロファイル。
【請求項３】
前記複数の分割体に、該分割体を一体化するための係止部と被係止部とが形成されたことを特徴とする請求項１に記載のベルト用プロファイル。
【請求項４】
ベルト幅方向に二つの分割体に二分割して形成され、各分割体に前記爪部及び連結部が設けられたことを特徴とする請求項１、２又は３に記載のベルト用プロファイル。
【請求項５】
ベルト幅方向に三つの分割体に三分割して形成され、中央の分割体を挟む両側の分割体に前記爪部及び連結部が設けられたことを特徴とする請求項１、２又は３に記載のベルト用プロファイル。
【請求項６】
前記プロファイル本体は、アタッチメントを取付可能とされたことを特徴とする請求項１〜５のいずれかに記載のベルト用プロファイル。
【請求項７】
前記分割体は、金属探知機で検出可能な樹脂から形成されたことを特徴とする請求項１〜６のいずれかに記載のベルト用プロファイル。
【請求項８】
請求項１〜７のいずれかに記載のベルト用プロファイルを備えたことを特徴とするプロファイル付きベルト。
【請求項９】
前記連結部が歯付ベルト側面の外側を通ってプロファイル本体と爪部とを連結することにより、前記プロファイル本体と爪部との間に歯付ベルトの側縁部が挟持されたことを特徴とする請求項８に記載のプロファイル付きベルト。
【請求項１０】
前記連結部が歯付ベルトに形成された貫通穴を貫通してプロファイル本体と爪部とを連結することにより、前記プロファイル本体と爪部との間に歯付ベルトの中央部が挟持されたことを特徴とする請求項８に記載のプロファイル付きベルト。
【請求項１１】
前記プロファイルに、歯付プーリ又は位置決め材の外端面に対向してベルト幅方向の位置ずれを規制するずれ止めが設けられたことを特徴とする請求項１０に記載のプロファイル付きベルト。
【請求項１２】
請求項１〜７のいずれかに記載のベルト用プロファイルを装着して使用する歯付ベルトであって、前記プロファイルの連結部を貫通させる貫通穴が形成されたことを特徴とする歯付ベルト。
【発明の詳細な説明】
【技術分野】
【０００１】
本発明は、歯付ベルトに装着して使用するベルト用プロファイル及びプロファイル付きベルトに関するものである。
【背景技術】
【０００２】
一般に、ベルト搬送において、その被搬送物が転がりやすいものである場合や、水平面に対する搬送方向の傾斜角が大きい場合、ベルトの背面に、被搬送物を搬送方向に押し送るためのプロファイルを取り付けるようにしている。このプロファイルは、ベルトの背面に接着や溶着することによって取り付けることが多く、さらに、ベルトとプロファイルとを一体的に成型することもある。
【０００３】
ただ、プロファイルをベルトに取り付けるための手法として接着や溶着などを採用すると、プロファイルの素材の選択が制約を受けやすく、しかも、プロファイルの取り外しができないことから、外観を観察するだけでは接合部の状態を確認できず、プロファイルの寿命を判断しにくいことが多い。また、ベルトとプロファイルとを一体的に成型するには、ベルト成型に、プロファイルの形状を掘り込んだ金型を使用する必要があり、投資金額が高くなり、寸法変更への対応も難しい。
【０００４】
これに対して、例えば特許文献１は、先端に係止部を有する一対の可撓性脚部を下向きに突出させ、この可撓性脚部を撓ませて歯底面に係止部を係止することにより、歯付ベルトにアタッチメント（プロファイル）を取り付けるようにしている。
【先行技術文献】
【特許文献】
【０００５】
【特許文献１】特開２００４−５９２７１（段落番号００１３、００１４）
【発明の概要】
【発明が解決しようとする課題】
【０００６】
ところが、特許文献１のアタッチメント（プロファイル）は、可撓性脚部を撓ませて歯付ベルトに着脱するものであり、アタッチメント（プロファイル）に強い力が作用した場合には、可撓性脚部が撓んでアタッチメント（プロファイル）が外れるおそれがある。
【０００７】
本発明は、歯付ベルトへの着脱が容易で、かつ強固に取り付けることのできるベルト用プロファイル及びプロファイル付きベルトの提供を目的とする。
【課題を解決するための手段】
【０００８】
上記目的を達成するために、本発明に係るベルト用プロファイルは、歯付ベルトに装着して使用するものであり、歯付ベルトの背面側に配置されるプロファイル本体と、このプロファイル本体との間に歯付ベルトの一部を挟持しつつベルト歯に係止されるよう歯付ベルトの歯面側に配置される爪部と、プロファイル本体と爪部とを連結するよう両者と一体に形成された連結部と、を備え、ベルト幅方向に歯付ベルトを挟みつつ一体化して歯付ベルトに装着するよう、ベルト幅方向に複数の分割体に分割して形成したものである。
【０００９】
上記構成によれば、プロファイルをベルト幅方向に複数の分割体に分割して形成するので、歯付ベルトの一部をプロファイル本体と爪部との間に挿入しつつ、歯付ベルトをベルト幅方向に挟むようにして、分割体同士を一体化することができる。これにより、プロファイルの一部あるいは歯付ベルトを変形させることなく、歯付ベルトにプロファイルを装着することができるので、硬くてベルト幅方向に湾曲させることができない歯付ベルトにもプロファイルを装着することができると共に、歯付ベルトの使用時にプロファイルが変形して外れるのを防止することができる。
【００１０】
しかも、爪部を歯付ベルトの歯面側に配置するので、この爪部をベルト歯に係止してベルト長手方向へのプロファイルの移動を阻止することができる。なお、プロファイルを装着するのと反対の手順により、歯付ベルトからプロファイルを取り外すことができる。
【００１１】
また、複数の分割体に、互いに嵌合する嵌合部を形成することができる。この構成によれば、嵌合部を嵌合させるだけで、ねじなどを用いることなく、分割体同士を簡単に一体化することができ、プロファイルの歯付ベルトへの着脱を容易にすることができる。しかも、分割体に形成した嵌合部を嵌合させるので、歯付ベルトの使用時に大きな力が作用しやすい爪部及び連結部をプロファイル本体に嵌合によって取り付ける構造よりも、嵌合部の外れを生じにくくすることができる。
【００１２】
また、複数の分割体に、この分割体を一体化するための係止部と被係止部とを形成することができる。この構成によれば、係止部を被係止部に係止するだけで、分割体同士を簡単に一体化することができ、しかも、一体化した分割体同士の不意の分離を阻止することができるので、プロファイルの歯付ベルトへの装着を容易かつ確実にすることができる。
【００１３】
また、プロファイルをベルト幅方向に二つの分割体に二分割して形成し、各分割体に爪部及び連結部を設けることができる。この構成によれば、歯付ベルトをベルト幅方向に挟むようにして、二つの分割体同士を一体化するだけで、プロファイルを歯付ベルトに容易に装着することができる。
【００１４】
また、プロファイルをベルト幅方向に三つの分割体に三分割して形成し、中央の分割体を挟む両側の分割体に爪部及び連結部を設けることができる。この構成によれば、両側の分割体で歯付ベルトをベルト幅方向に挟むようにして、三つの分割体を一体化するだけで、プロファイルを歯付ベルトに容易に装着することができる。しかも、プロファイルの用途に応じて、中央の分割体に種々の形状のものを採用しつつ、中央の分割体よりも比較的に構造が複雑な両側の分割体の共通化を図ることができる。
【００１５】
また、プロファイル本体にアタッチメントを取付可能とすることができる。この構成によれば、プロファイル本体の共通化を図りつつ、所望のアタッチメントを選択することができ、さらに、複数の歯付ベルトを並設してアタッチメントとしてのローラー部材を架け渡す構造なども採用可能にすることができる。しかも、アタッチメントを取り付けることにより、このアタッチメントを介してプロファイルの分割体同士の一体化した状態を確実に維持することができる。
【００１６】
また、分割体を金属探知機で検出可能な樹脂から形成することができる。この構成によれば、万一、歯付ベルトを使用して処理する対象物に、歯付ベルトから取り外した分割体の一方が紛れ込んだとしても、それを容易に探し出すことができる。ここで、金属探知機で検出可能な樹脂としては、磁性体を練り込んだ樹脂などを例示できる。
【００１７】
また、本発明は、上記のベルト用プロファイルを備えたプロファイル付きベルトを提供する。
【００１８】
具体的には、プロファイルの連結部が歯付ベルト側面の外側を通ってプロファイル本体と爪部とを連結することにより、プロファイル本体と爪部との間に歯付ベルトの側縁部を挟持した構成を採用することができる。この構成によれば、プロファイル本体と爪部とで歯付ベルトの側縁部を挟持するので、爪部をベルト幅方向で歯付プーリの外側に位置させることができ、爪部が歯付ベルトと歯付プーリとの噛み合いを阻害するのを防止することができる。
【００１９】
また、プロファイルの連結部が歯付ベルトに形成された貫通穴を貫通してプロファイル本体と爪部とを連結することにより、プロファイル本体と爪部との間に歯付ベルトの中央部を挟持した構成を採用することができる。この構成によれば、歯付ベルトの側縁部をプロファイルよりもベルト幅方向で外側に位置させることができるので、歯付ベルトの背面側の側縁部をアイドラプーリに掛けて、歯付ベルトを逆曲げすることができる。
【００２０】
また、プロファイルには、歯付プーリ又は位置決め材の外端面に対向してベルト幅方向の位置ずれを規制するずれ止めを設けることができる。この構成によれば、歯付ベルトの位置ずれを規制するための専用のプーリフランジなどを省略することができる。
【００２１】
また、本発明は、上記のベルト用プロファイルを装着して使用する歯付ベルトであって、プロファイルの連結部を貫通させる貫通穴を形成した歯付ベルトを提供する。
【発明の効果】
【００２２】
以上のとおり、本発明によると、プロファイルを複数の分割体に分割するので、歯付ベルトをベルト幅方向に挟むようにして、分割体同士を一体化することにより、歯付ベルトにプロファイルを容易に装着することができる。これにより、硬くてベルト幅方向に湾曲させることができない歯付ベルトにも、プロファイルをその一部あるいは歯付ベルトを変形させることなく装着することができ、しかも、歯付ベルトの使用時にプロファイルが変形して外れるのを防止することができる。
【図面の簡単な説明】
【００２３】
【図１】第１実施形態のプロファイル付きベルトの背面側から見た要部斜視図
【図２】第１実施形態のプロファイル付きベルトの歯面側から見た要部斜視図
【図３】第１実施形態のプロファイルの正面図で、（ａ）は分割体同士を一体化した状態を示し、（ｂ）は分割した状態を示す
【図４】第１実施形態のプロファイルの平面図で、（ａ）は分割体同士を一体化した状態を示し、（ｂ）は分割した状態を示す
【図５】第１実施形態のプロファイルの分割体の斜視図
【図６】第２実施形態のプロファイルの正面図で、位置決め材と対向する状態を示す
【図７】第２実施形態のプロファイルの正面図で、歯付プーリと対向する状態を示す
【図８】第３実施形態のプロファイルの正面図
【図９】第４実施形態のプロファイル付きベルトの要部斜視図
【図１０】第４実施形態のプロファイルの分割体の正面図
【図１１】第４実施形態のプロファイルの分割体の内側面図
【図１２】第４実施形態のプロファイルの分割体の背面図
【図１３】第４実施形態のプロファイルの分割体の断面図
【図１４】第５実施形態のプロファイルの背面図
【図１５】第６実施形態のプロファイルの正面図
【図１６】第６実施形態のプロファイルの正面図で、歯付プーリと対向する状態を示す
【図１７】第６実施形態のプロファイルの正面図で、アイドラプーリと対向する状態を示す
【図１８】第６実施形態のプロファイル付きベルトの配置図
【発明を実施するための形態】
【００２４】
以下、本発明に係るベルト用プロファイル及びプロファイル付きベルトを実施するための第１実施形態〜第６実施形態について、図面を用いて説明する。
【００２５】
［第１実施形態］
図１〜図５に示すように、プロファイル１は、例えば、転がりやすい被搬送物を水平面に対して傾斜する方向にベルト搬送可能なよう、あるいは、並設した歯付ベルト２にローラー部材を架け渡して取付可能なよう、歯付ベルト２に所望の個数を装着して使用するものであり、ベルト幅方向の中央で２つの分割体１ａ、１ｂに分割して形成されている。
【００２６】
このプロファイル１は、歯付ベルト２の背面側に配置されるプロファイル本体３と、プロファイル本体３との間に歯付ベルト２の側縁部２ａを挟持しつつベルト歯４に係止される爪部５と、歯付ベルト２の側面の外側を通ってプロファイル本体３及び爪部５を連結するよう両者３、５と一体に形成された連結部６とを備えている。ここで、プロファイル１は、例えばナイロンやポリプロピレンなどの合成樹脂に磁性体を練り込むなどして金属探知機で検出可能とした樹脂から形成される。
【００２７】
歯付ベルト２は、例えば、アラミド心線を埋設しつつ硬度がＪＩＳＡ９８度程度のウレタンから形成することにより、ベルト幅方向に極めて変形しにくい硬さに設定されている。この歯付ベルト２は、歯付プーリのプーリ歯に噛み合うベルト歯４を有すると共に、そのベルト幅が歯付プーリの中心軸方向長さよりも幅広に設定されている。これにより、歯付プーリに掛巻した歯付ベルト２のうち、プロファイル本体３と爪部５とで挟持される側縁部２ａが、歯付プーリからベルト幅方向に突出し、歯付ベルト２と歯付プーリとの噛み合いが爪部５によって阻害されるのを防止する。
【００２８】
図３〜図５に示すように、プロファイル本体３は、両端部が歯付ベルト２のベルト幅方向両側に突出する長さで、歯付ベルト２の背面に接するよう配置される長方形の板状とされ、そのベルト幅方向の中央部に、プロファイル本体３を分割体１ａ、１ｂに分割する分割面７が形成されている。
【００２９】
分割面７には、合計二組の凹部８ａと凸部８ｂとを形成してなる嵌合部８が形成され、この嵌合部８を互いに嵌合させることにより、分割体１ａ、１ｂを一体化するようになっている。各分割面７に凹部８ａと凸部８ｂとを形成することにより、分割体１ａ、１ｂが同一形状に設定され、両者を共通の成型型で成型可能としている。
【００３０】
歯付ベルト２の両側に突出するプロファイル本体３の両端部には、アタッチメントを取り付けるための取付穴９が形成され、この取付穴９を利用して、被搬送物を搬送方向に押し送るためのアタッチメントを取り付けるように、あるいは、アタッチメントとしてのローラー部材を取り付けるようになっている。なお、アタッチメントを取り付けることなく、プロファイル本体３自体で被搬送物を搬送方向に押し送ることもできる。
【００３１】
爪部５は、歯付ベルト２のベルト歯４の歯溝に嵌る山形状に形成され、歯付ベルト２の歯面側に配置されることにより、側縁部２ａをプロファイル本体３との間に挟持しつつ、歯付ベルト２の歯溝に嵌ってベルト歯４に係止される。この爪部５は、歯付ベルト２が回転してプロファイル１が被搬送物を押し送る際、被搬送物から受ける反力を歯溝を介して歯付ベルト２に伝える。
【００３２】
連結部６は、略台形の一対の板状とされ、歯付ベルト２のベルト幅とほぼ同じ間隔をあけて、プロファイル本体３の下面からベルト歯面側に突出するよう形成され、その先端部からベルト幅方向内向きに爪部５が突出形成されている。
【００３３】
プロファイル１を歯付ベルト２に装着するには、各分割体１ａ、１ｂごとに、プロファイル本体３と爪部５との間に歯付ベルト２の側縁部２ａを挿入するようにして、爪部５をベルト歯４の歯溝に嵌める。さらに、両分割体１ａ、１ｂでベルト幅方向に歯付ベルト２を挟みつつ、嵌合部８を互いに嵌合させて分割体１ａ、１ｂを一体化することにより、プロファイル１が歯付ベルト２に装着される。また、反対の手順でプロファイル１を歯付ベルト２から取り外すこともできる。
【００３４】
上記構成によれば、プロファイル１を歯付ベルト２に容易に着脱することができるので、随時取り外して観察することにより、プロファイル１の寿命などの判断をすることができる。また、歯付ベルト２の側縁部２ａを挟持して装着するので、歯付ベルト２やプロファイル１の材質を自由に選択することができる。また、歯付ベルト２を挟むようにして、分割体１ａ、１ｂを一体化することによってプロファイル１を取り付けるので、歯付ベルト２や連結部６を無理に変形させることなくプロファイル１を取り付けることができる。
【００３５】
［第２実施形態］
第２実施形態のプロファイル１０は、ベルト幅方向の中央で２つの分割体１０ａ、１０ｂに分割して形成されたものであり、第１実施形態のプロファイル１とほぼ同じ構成であるが、図６に示すように、その連結部６の先端に、歯付ベルト２の下方に配置した位置決め材１１の外端面に対向してベルト幅方向の位置ずれを規制するずれ止め１２が設けられている。また、図７に示すように、プロファイル１０は、爪部５の先端が歯付プーリ１３の外端面に対向することにより、ベルト幅方向の位置ずれを規制するようになっている。なお、他の構成は、第１実施形態と同じである。
【００３６】
［第３実施形態］
第３実施形態のプロファイル１４は、ベルト幅方向の中央で２つの分割体１４ａ、１４ｂに分割して形成されたものであり、第１、第２実施形態のプロファイル１、１０とほぼ同じ構成であるが、図８に示すように、連結部６を下向きに突出させると共に、プロファイル本体３の両端部１５の全体を下向きに突出させて、プロファイル１４の取付強度を高めるようにしている。なお、他の構成は、第１、第２実施形態と同じである。
【００３７】
［第４実施形態］
第４実施形態のプロファイル１６は、２つの分割体１６ａ、１６ｂに二分割して形成されたものであり、第１実施形態のプロファイル１とほぼ同じ構成であるが、図９〜図１３に示すように、プロファイル本体１７のベルト幅方向の中央部に形成された分割面１８に、分割体１６ａ、１６ｂを一体化するための合計二組の係止部１９及び被係止部２０が設けられている。
【００３８】
プロファイル本体１７は、歯付ベルト２とほぼ同じ幅で背面側をリブ２１で補強した壁状とされ、その底面積を広げるよう底面付近が背面側に突出することにより、歯付ベルト２のベルト背面上に安定して立設されるようになっている。プロファイル本体１７の底面付近かつ幅方向外側からは、連結部２２がベルト歯面側に突出するよう形成され、この連結部２２の先端部からベルト幅方向内向きに爪部２３が突出形成されることにより、各分割体１６ａ、１６ｂに、連結部２２及び爪部２３が設けられている。
【００３９】
係止部１９及び被係止部２０は、互いに対をなすよう各分割面１８に一つずつ形成され、各係止部１９がこれに対向する被係止部２０に係止される。係止部１９は、分割面１８から二股に分かれて突出する二本の突起１９ａの先端部かつ外面側に係止爪１９ｂを形成した構造とされる。また、被係止部２０は、係止部１９を挿入するよう分割面１８に凹設した構造とされる。
【００４０】
被係止部２０の上下方向の幅は、係止部１９の突起１９ａの外面間の距離と同程度に設定され、係止爪１９ｂが突出する分だけ、二本の突起１９ａを内向きに撓ませて係止部１９を挿入するようになっている。
【００４１】
被係止部２０の奥部２０ａは、その手前側部分２０ｂよりも上下方向に幅広に設定され、被係止部２０に挿入した係止部１９の先端が奥部２０ａに達することにより、係止爪１９ｂの突出する分だけ内向きに撓んだ二本の突起１９ａが復元する。これにより、奥部２０ａとその手前側部分２０ｂとの境界の段差に係止爪１９ｂが係止され、一体化した分割体１６ａ、１６ｂの不意の外れが阻止される。
【００４２】
また、奥部２０ａは、プロファイル本体１７の背面側に形成された窓部２４によって開口され、係止部１９の被係止部２０への係止の解除を可能とする。なお、他の構成は、第１実施形態と同じである。
【００４３】
［第５実施形態］
第５実施形態のプロファイル２５は、第４実施形態のプロファイル１６とほぼ同じ構成であるが、図１４に示すように、第４実施形態と同じ分割体１６ａ、１６ｂと、その中央に配置される分割体２５ａと、の合計３つに分割して形成されている。
【００４４】
中央の分割体２５ａの両側の分割面２６ａ、２６ｂには、係止部１９及び被係止部２０が一つずつ形成され、分割体１６ａ、１６ｂの被係止部２０及び係止部１９に係止して一体化するようになっている。これにより、比較的に形状の複雑な両側の分割体１６ａ、１６ｂの共通化を図りつつ、ベルト幅や用途に応じて中央の分割体２５ａを適宜選択することができる。なお、他の構成は、第４実施形態と同じである。
【００４５】
［第６実施形態］
第６実施形態は、第４実施形態と同じプロファイル１６を使用するものであるが、歯付ベルト２の側縁部２ａを挟持する代わりに、図１５〜図１７に示すように、歯付ベルト２の中央部２ｂを挟持することによって、歯付ベルト２にプロファイル１６を装着したものである。
【００４６】
歯付ベルト２には、ベルト幅方向に所定の間隔をあけて対をなす貫通穴２７の複数対が、ベルト周長方向に所定の間隔をあけて形成されている。この貫通穴２７をプロファイル１６の連結部２２がベルト歯面側に貫通することにより、プロファイル本体１７と爪部２３とで歯付ベルト２の中央部２ｂの側縁が挟持される。
【００４７】
貫通穴２７は、そのベルト幅方向の寸法を連結部２２の厚さよりも十分に大きく設定され、連結部２２を通した状態で、分割体１６ａ、１６ｂの内向きへの移動を許容する。これにより、貫通穴２７に連結部２２を通した後、分割体１６ａ、１６ｂを内向きに移動させて、プロファイル本体１７と爪部２３との間に歯付ベルト２の中央部２ｂの側縁を挿入すると共に、係止部１９を被係止部２０に挿入して係止することができる。
【００４８】
図１６に示すように、歯付プーリ２８には周溝２９が形成され、歯付ベルト２の中央部２ｂを挟持する爪部２３が歯付ベルト２と歯付プーリ２８との噛み合いを阻害するのを防止する。また、歯付ベルト２の中央部２ｂを挟持するので、連結部２２を歯付ベルト２の側面の外側を通す必要がない分、プロファイル１６を歯付ベルト２の中央部２ｂにのみ配置して側縁部２ａを空けておくことができる。これにより、図１７に示すように、側縁部２ａのベルト背面にアイドラプーリ３０を掛けることができ、図１８に示すように、歯付ベルト２にプロファイル１６を装着しつつ、歯付ベルト２を逆曲げしたベルト配置の採用を可能とする。
【符号の説明】
【００４９】
１、１０、１４、１６、２５  プロファイル
１ａ、１ｂ、１０ａ、１０ｂ、１４ａ、１４ｂ、１６ａ、１６ｂ、２５ａ  分割体
２          歯付ベルト
２ａ        側縁部
２ｂ        中央部
３、１７    プロファイル本体
４          ベルト歯
５、２３    爪部
６、２２    連結部
７、１８、２６ａ、２６ｂ  分割面
８          嵌合部
８ａ        凹部
８ｂ        凸部
９          取付穴
１１        位置決め材
１２        ずれ止め
１３、２８  歯付プーリ
１５        両端部
１９        係止部
１９ａ      突起
１９ｂ      係止爪
２０        被係止部
２０ａ      奥部
２０ｂ      手前側部分
２１        リブ
２４        窓部
２７        貫通穴
２９        周溝
３０        アイドラプーリ
【図１】
2010222126.tif 000003
【図２】
2010222126.tif 000004
【図３】
2010222126.tif 000005
【図４】
2010222126.tif 000006
【図５】
2010222126.tif 000007
【図６】
2010222126.tif 000008
【図７】
2010222126.tif 000009
【図８】
2010222126.tif 000010
【図９】
2010222126.tif 000011
【図１０】
2010222126.tif 000012
【図１１】
2010222126.tif 000013
【図１２】
2010222126.tif 000014
【図１３】
2010222126.tif 000015
【図１４】
2010222126.tif 000016
【図１５】
2010222126.tif 000017
【図１６】
2010222126.tif 000018
【図１７】
2010222126.tif 000019
【図１８】
2010222126.tif 000020